(57)【要約】【課題】盗難対策を施しつつ、デザイン性を損なうことがない宝石箱を提供することを課題とする。【解決手段】少なくとも一面に窓部３２が設けられた箱体２と、箱体２の内部に設けられたカメラ６と、を備えた宝石箱１であって、カメラ６は、窓部３２の内側に位置するように設置されており、窓部３２を介して箱体２の外部を撮影することを特徴とする。本発明によれば、窃盗犯等を撮影することが可能となり、従って、犯人の特定に貢献することができる。また、宝石箱の外観のデザイン性が損なわれることがない。【選択図】図１
2010051499.tif 000002
【特許請求の範囲】
【請求項１】
少なくとも一面に窓部が設けられた箱体と、前記箱体の内部に設けられたカメラと、を備えた宝石箱であって、
前記カメラは、前記窓部の内側に位置するように設置されており、前記窓部を介して前記箱体の外部を撮影することを特徴とする宝石箱。
【請求項２】
前記箱体の上面に上面開口部が形成されており、前記上面開口部を開閉可能に覆う蓋体に前記窓部が設けられていることを特徴とする請求項１に記載の宝石箱。
【請求項３】
前記カメラを覆うカバー部材をさらに備え、
前記カバー部材には、前記カメラのレンズ部にのぞむ貫通孔が形成されており、
前記カメラは、前記貫通孔及び前記窓部を介して前記箱体の外部を撮影することを特徴とする請求項１又は請求項２に記載の宝石箱。
【請求項４】
前記カメラは、前記窓部に対して傾斜して設置されていることを特徴とする請求項１乃至請求項３のいずれか一項に記載の宝石箱。
【請求項５】
前記箱体には、前記カメラが設置されるスペースに連通する通風孔が形成されていることを特徴とする請求項１乃至請求項４のいずれか一項に記載の宝石箱。
【請求項６】
前記箱体の前面に前面開口部が形成されており、
前記箱体の前面開口部を開閉可能に覆う扉体の上端には、凹部が設けられるとともに、
前記蓋体のうち前記扉体の上端に当接する部分には、前記凹部と係合可能な凸部が設けられていることを特徴とする請求項２乃至請求項５のいずれか一項に記載の宝石箱。
【発明の詳細な説明】
【技術分野】
【０００１】
本発明は、宝石箱に関する。
【背景技術】
【０００２】
従来、例えば指輪やイヤリング等の宝飾品をまとめて収納する物として宝石箱が知られている（特許文献１参照）。
【０００３】
【特許文献１】登録実用新案第３０１３６５３号公報
【発明の開示】
【発明が解決しようとする課題】
【０００４】
宝石箱は、高級感のあるデザインが好まれることから、美観の向上に精力が注がれているが、美観や質感を追求するあまり、盗難対策がおろそかになっている場合が多い。
【０００５】
本発明は、このような観点から創案されたものであり、盗難対策を施しつつ、デザイン性を損なうことがない宝石箱を提供することを課題とする。
【課題を解決するための手段】
【０００６】
前記課題を解決するために、本発明は、少なくとも一面に窓部が設けられた箱体と、箱体の内部に設けられたカメラと、を備えた宝石箱であって、カメラは、窓部の内側に位置するように設置されており、窓部を介して箱体の外部を撮影することを特徴とする。
【０００７】
尚、箱体の上面に上面開口部が形成されており、上面開口部を開閉可能に覆う蓋体に窓部が設けられていることが好ましい。
【０００８】
本発明によれば、宝石箱の内部にカメラが設置されるとともに、箱体に設けられた窓部を介して宝石箱の外部を撮影するため、窃盗犯等を撮影することが可能となり、犯人の特定に貢献することができる。
また、カメラは、宝石箱の内部に設置されるとともに、窓部の内側に位置するように設置されるため、宝石箱の外観のデザイン性が損なわれることがない。
【０００９】
カメラを覆うカバー部材をさらに備え、カバー部材には、カメラのレンズ部にのぞむ貫通孔が形成されており、カメラは、貫通孔を介して箱体の外部を撮影することが好ましい。このようにすると、カメラが目立たなくなり、犯人に感知されずに犯人を撮影することができる。また、宝石箱の蓋体を開けた際に、カメラが目立たないため、宝石箱の内装のデザイン性が損なわれることがない。
【００１０】
また、カメラは、蓋体の窓部に対して傾斜して設置されていることが好ましい。このようにすると、カメラの撮影方向と犯人の顔の位置が一致しやすくなるため、犯人の顔をきちんと撮影することが可能となり、犯人をより確実に特定することができる。
【００１１】
また、箱体には、カメラが設置されるスペースに連通する通風孔が形成されていることが好ましい。このようにすると、カメラが設置されるスペースに宝石箱の外部の空気が入り、カメラから発生した熱を放熱することができるため、熱に起因するカメラの損傷を阻止することができる。
【００１２】
また、箱体の前面に開口部がさらに形成されており、箱体の前面開口部を開閉可能に覆う扉体の上端には、凹部が設けられるとともに、蓋体のうち扉体の上端に当接する部分には、凹部と係合可能な凸部が設けられていることが好ましい。閉じられた状態の扉体に対して蓋体を閉じると、扉体の上端に設けられた凹部に蓋体に設けられた凸部が係合して、扉体が開かなくなる。従って、蓋体に鍵を設置して、蓋体の鍵を施錠するだけで、蓋体と扉体を同時に施錠することができるため、蓋体と扉体のための鍵を２つ用意する必要がない。
【発明の効果】
【００１３】
本発明に係る宝石箱によれば、盗難対策を施しつつ、デザイン性を損なうことがない。
【発明を実施するための最良の形態】
【００１４】
次に、本発明の実施形態について、適宜図面を参照しながら説明する。説明において、同一の要素には同一の符号を付し、重複する説明は省略する。
【００１５】
図１は、本実施形態に係る宝石箱の開き状態を示す斜視図である。図２は、本実施形態に係る宝石箱の閉じ状態を示す斜視図である。
本実施形態に係る宝石箱１は、図１に示すように、箱体２と、蓋体３と、引出し４と、扉体５と、カメラ６と、カバー部材７とから主に構成されている。
尚、本実施形態の箱体２、蓋体３、引出し４、扉体５は、例えば、木材などの材料から形成されている。
【００１６】
箱体２は、図１に示すように、上面開口部２ａと前面開口部２ｂとを有する箱状に形成されている。
箱体２は、底板２１と、下部前板２２と、背板２３と、一対の側板２４，２４と、上部前板２５と、仕切り板２６とから主に構成されている。
【００１７】
底板２１は、平面視矩形状を呈し、箱体２の底部を成している。また、底板２１の下面の四隅には、脚部（図示省略）が取り付けられている。底板２１の周縁部は、箱体２が組み立てられた状態において、下部前板２２、背板２３及び側板２４より外側に延出している。
【００１８】
下部前板２２は、正面視矩形状を呈する。下部前板２２は、底板２１の前縁に立設されている。下部前板２２は、箱体２の前部の一部を構成している。
【００１９】
背板２３は、正面視矩形状を呈する。背板２３は、底板２１の後縁に立設されており、下部前板２２と対向して平行に設けられている。
【００２０】
側板２４は、側面視矩形状を呈する。側板２４は、底板２１の側縁に立設されている。すなわち、側板２４，２４は、下部前板２２と背板２３との間に設置されるとともに、前面開口部２ｂを挟んで対向して平行に設けられている。また、側板２４には、宝石箱１を運ぶ際に使用される持ち手２４ａが垂直方向に回動自在に取り付けられている。
【００２１】
上部前板２５は、正面視矩形状を呈する。上部前板２５は、箱体２の上側前部に設置され、箱体２の前部の一部を構成している。
上部前板２５は、その前面が側板２４の前面と面一になるように一対の側板２４，２４の間に設けられている。
また、上部前板２５には、その長手方向に沿って、複数の（例えば４つ）通風孔２５ａ，２５ａ・・・が等しい間隔を空けて並設されている。通風孔２５ａは、板厚方向に貫通していて、カメラ６の設置スペースに連通している。
尚、上部前板２５と下部前板２２との間に形成される開口面が、前面開口部２ｂに相当する。
【００２２】
仕切り板２６は、平面視矩形状を呈する。仕切り板２６は、箱体２の上端から所定長下がった位置に設置されており、背板２３と側板２４と上部前板２５とに囲まれている。すなわち、仕切り板２６は、箱体２の内部を上下方向に２分割するように配設されており、箱体２の内部を上側収納室Ｓ１と下側収納室Ｓ２とに区画している。
また、仕切り板２６の上面には、後記するカバー部材７のフランジ部７１が嵌合される溝部２６ａが凹設されている。
【００２３】
蓋体３は、平面視矩形状を呈する。蓋体３は、図１に示すように、その一端がヒンジ３ａを介して背板２３の上端に取り付けられており、上面開口部２ａを開閉可能に覆うように設けられている。
蓋体３は、図１及び図２に示すように、プレート３１と、窓部３２と、鍵部３３と、凸部３４と、マグネット部３５と、一対の鏡３６，３６とを主に備えている。
また、蓋体３には、窓部３２に適合する貫通孔３ｂが形成されるとともに、鍵部３３を取り付けるための取付孔３ｃが形成されている。
蓋体３の周縁部は、図２に示すように、蓋体３が閉じられた状態において、背板２３、側板２４及び上部前板２５より外側に延出している。
【００２４】
プレート３１は、図２に示すように、平面視矩形状を呈する。プレート３１には、窓部３２に対応する貫通孔及び鍵部３３が取り付けられる貫通孔が穿設されている。
プレート３１は、蓋体３の表面に沿って設置され、蓋体３にねじ止めにより固定されている。
【００２５】
窓部３２は、図２に示すように、平面視矩形状を呈し、箱体２の内部を視認可能な公知のスモークガラスで形成されている。窓部３２は、接着剤などでプレート３１に一体的に取り付けられるとともに、貫通孔３ｂに対応する位置に設置されている。
【００２６】
尚、図示を省略するが、窓部３２には、施錠及び開錠を示す文字が刻印されるとともに、バッテリーの残量を示す文字が刻印されている。また、それぞれの文字は、異なる色で着色されている。
【００２７】
鍵部３３は、蓋体３自体の開錠・施錠を行う役割を果たしている。鍵部３３は、図１に示すように、一端側（先端側）が蓋体３の裏面より突出しているとともに、他端側（基端側）が取付孔３ｃに取り付けられている。また、鍵部３３の他端側は、図２に示すように、プレート３１に形成された貫通孔にも取り付けられている。
鍵部３３は、その先端がＬ字状に折り曲げて形成されるとともに、その基端に鍵の差込口が形成されている。また、鍵部３３は、水平方向に回転自在に形成されている。
【００２８】
凸部３４は、図１に示すように、正面視矩形状を呈し、蓋体３の裏面に対して垂直方向に突出している。凸部３４は、蓋体３のうち扉体５の上端と当接する部分（開放側端部）に設けられている。凸部３４は、その根元部分から延在する平坦部を蓋体３の裏面に当接し、ねじ止めにより固定されている。
【００２９】
マグネット部３５は、図１に示すように、マグネットセンサーＭＳの一部を構成する部材であり、蓋体３の裏面に取り付けられている。
【００３０】
一対の鏡３６，３６は、図１に示すように、同一の大きさ及び形状から成り、窓部３２を挟んで蓋体３の左右の両側に設けられている。
また、一対の鏡３６，３６のいずれか一方は、その表面が平面形状に形成されており、一対の鏡３６，３６のいずれか他方は、その表面が凹面形状に形成されている。これにより、老眼の人にも見やすくなっている。
【００３１】
引出し４は、図１に示すように、箱体２の上下方向に３段設置されるとともに、下側収納室Ｓ２に引き出し自在に収納されている。
また、引出し４の中央部には、引出し４を下側収納室Ｓ２から引き出す際に使用される引き手４１が設けられている。
【００３２】
扉体５は、図１に示すように、左扉５ａと右扉５ｂとを有する観音開き式の扉から成る。扉体５は、その一端がヒンジ５ｃを介して側板２４の前端に取り付けられており、前面開口部２ｂを開閉可能に覆うように設けられている。また、扉体５は、閉じられた状態において上部前板２５を覆っている（図２参照）。
【００３３】
扉体５には、図１に示すように、略Ｌ字状の凹部５１が他方の扉と突き合わされる角部に切り欠いて形成されている。凹部５１は、扉体５が閉じられた状態において平面視矩形状を呈し、凸部３４の横断面積と略同等の横断面積を有する（図４、図５参照）。すなわち、凹部５１は、凸部３４と係合可能に形成されている。
また、扉体５には、凹部５１の周縁を囲うように略Ｌ字状の金具５２が他方の扉と突き合わされる角部に取り付けられている。
扉体５の裏面には、扉体５が閉じられた状態において上部前板２５に当接する当接部５３が取り付けられている。
【００３４】
本実施形態の宝石箱１には、扉体５が閉じられた状態において、上部前板２５と扉体５との間に隙間が形成される（図４参照）。また、左扉５ａと右扉５ｂとの境界（合わせ目）には、微細な隙間が形成されている。
従って、蓋体３及び扉体５が閉じられた状態においても、箱体２の外部の空気が左扉５ａと右扉５ｂとの境界（合わせ目）及び上部前板２５と扉体５との間に形成された隙間を通り、通風孔２５ａからカメラ６の設置スペースに入ることになる。
【００３５】
次に、本実施形態のカメラ６について、図１及び図３を参照して説明する。尚、図３は、図２に示す宝石箱１の窓部３２周辺の構成を示す部分拡大平面図である。
【００３６】
カメラ６には、人が撮影範囲内に入ってから動画撮影を開始し、人が撮影範囲外に出たときに動画撮影を停止するモーションエディターが組み込まれている。
カメラ６は、図１に示すように、基板部６１と、レンズ部６２、ケース部６３とから主に構成されている。
【００３７】
基板部６１は、撮影開始及び終了の制御などを行っている。基板部６１には、コンパクトフラッシュ（登録商標）メモリー６１ａが設置されている。コンパクトフラッシュ（登録商標）メモリー６１ａには、撮影した動画が随時記録される。
【００３８】
レンズ部６２は、公知のカメラ用レンズの中から適宜選択して使用することができる。レンズ部６２は、ケース部６３内に固定されている。ケース部６３の上面には、小さい孔（ピンホール）が形成されており、この小さい孔からレンズ部６２がのぞいている。
また、ケース部６３は、基板部６１の上面にねじ止めにより固定されている。
【００３９】
カメラ６は、図３に示すように、蓋体３が閉じられた状態において、レンズ部６２が窓部３２の内側（下側）に位置するとともに、後記するカバー部材７の撮影用孔７ｂの内側（下側）に位置するように上側収納室Ｓ１に設置されている。
【００４０】
ここで、図４及び図５を参照して、カメラ６近傍の構成について詳しく説明する。尚、図４は、図１に示す宝石箱１のカメラ６近傍の構成を示す部分拡大平面図であり、図５は、図３のＹ−Ｙ線断面図である。
【００４１】
カメラ６の近傍には、支持部材１０と、スイッチ部１１と、鍵穴部１２とが設けられている。
【００４２】
支持部材１０は、カメラ６を支持する役割を果たしている。
支持部材１０は、図５に示すように、平面部１０ａと、低支持部１０ｂと、高支持部１０ｃとから主に構成されている。
【００４３】
平面部１０ａは、図４に示すように、平面視矩形状を呈する薄板状に形成されている。また、平面部１０ａは、図５に示すように、その一端側（前端側）が折り曲げて形成されており、側面視略クランク形状を呈する。平面部１０ａは、仕切り板２６の上面に当接してねじ止めにより固定されている。
【００４４】
低支持部１０ｂは、図５に示すように、平面部１０ａの上面から上方に向けて延出している。低支持部１０ｂは、基板部６１の一端側（前端側）を支持している。低支持部１０ｂと基板部６１とは、ねじ止めにより連結されている。
【００４５】
高支持部１０ｃは、図５に示すように、平面部１０ａの上面から上方に向けて延出している。高支持部１０ｃは、基板部６１の他端側（後端側）を支持している。高支持部１０ｃと基板部６１とは、ねじ止めにより連結されている。
【００４６】
高支持部１０ｃの高さは、低支持部１０ｂの高さより大きく形成されている。従って、基板部６１及び基板部６１の上面に設置されているケース部６３は、その他端側から一端側に向かうにつれて下方に傾斜している。また、レンズ部６２の光軸は、鉛直軸に対して前方側に傾斜している。換言すると、カメラ６は、窓部３２に対して傾斜するように、支持部材１０を介して仕切り板２６に固定されている。
【００４７】
スイッチ部１１は、マグネットセンサーＭＳの一部を構成している。スイッチ部１１は、蓋体３が閉じられた状態において、マグネット部３５の下方に位置するように設置される。また、スイッチ部１１は、図５に示すように、接合金具１１ａを介して支持部材１０に取り付けられている。
【００４８】
尚、マグネットセンサーＭＳは、蓋体３の開閉状態を監視するセンサーである。マグネットセンサーＭＳは、スイッチ部１１と、マグネット部３５とから構成されている。マグネットセンサーＭＳは、マグネット部３５がスイッチ部１１から離間することにより、スイッチ部１１の内部に配設されたリードスイッチ（図示省略）が開閉し音が鳴るようになっている。これにより、例えば、窃盗者などが宝石箱１の蓋体３を無理やりこじ開けると音で異常を知らせ、盗難を抑止することができる。
【００４９】
鍵穴部１２は、図５に示すように、鍵部３３の先端部分が挿入される鍵穴１２ａを有するとともに、盗難防止センサー１２ｂを有している。
鍵穴部１２は、図５に示すように、側面視Ｌ字状の接合金具１２ｃを介して、支持部材１０に取り付けられ、基板部６１の前方に設置されている。
本実施形態においては、蓋体３の施錠・開錠と盗難防止センサー１２ｂの電源のオン／オフが同時に行える。すなわち、鍵部３３の先端部分を鍵穴部１２の鍵穴１２ａに挿入すると、蓋体３が施錠されると共に、盗難防止センサー１２ｂが作動する。
また、鍵部３３の先端部分を鍵穴部１２の鍵穴１２ａから抜くと、蓋体３が開錠されると共に、盗難防止センサー１２ｂが解除される構成になっている。
尚、本実施形態では、盗難防止センサー１２ｂが異常を検知すると、検出装置（図示省略）を介して後記する警報機１６に信号を発信し、音により異常を知らせる構成になっている。これにより、例えば、窃盗者などが宝石箱１の蓋体３を無理やりこじ開けると音で異常を知らせ、盗難を抑止することができる。
【００５０】
カバー部材７は、図１に示すように、一枚の金属板を折り曲げて形成されている。カバー部材７は、下端が開口して形成されるとともに、長手方向の両端が開口して形成されている。また、カバー部材７の下端の長手方向に亘って、フランジ部７１が形成されている。
【００５１】
カバー部材７には、板厚方向に貫通する複数の貫通孔が形成されている。
すなわち、カバー部材７には、鍵部３３が挿通される挿通孔７ａと、レンズ部６２がのぞむ撮影用孔７ｂと、発光ダイオードの光を窓部３２に当てるための照射用孔７ｃとが形成されている。
尚、カバー部材７の貫通孔は、箱体２の外部の空気をカメラ６の設置スペースに入れる役割も果たしている。
【００５２】
挿通孔７ａは、鍵部３３に対応する形状を呈する。また、挿通孔７ａは、鍵部３３に対応する位置に形成されている。
【００５３】
撮影用孔７ｂは、平面視円形状を呈し、カバー部材７の中央部に複数個（例えば、横３列×縦４列、合計１２つ）形成されている。カメラ６のレンズ部６２は、複数の撮影用孔７ｂのうちいずれか１つの撮影用孔７ｂの内側に位置するように設置される。
本実施形態では、図３に示すように、レンズ部６２は、中央列の鍵部３３側から３番目の撮影用孔７ｂの内側に位置するように設置されている。そして、その他の撮影用孔７ｂは、レンズ部６２の存在を感知されないようにするためのカモフラージュとしての役割を果たしている。
【００５４】
照射用孔７ｃは、平面視縦長楕円形状を呈し、カバー部材７の長手方向に沿って、等しい間隔を空けて３つ並設されている。照射用孔７ｃは、窓部３２に刻印された３つの文字（施錠・開錠・バッテリーの残量表示）に対応する位置に形成されている。
また、照射用孔７ｃの内側には、発光ダイオード（図示省略）が設置されている。従って、発光ダイオードの光が照射用孔７ｃを介して窓部３２に刻印された文字に当たることにより、施錠・開錠やバッテリーの残量などを容易に確認することができる。
また、各文字は、異なる色で着色されているため、施錠・開錠やバッテリーの残量などを一見して把握することができる。
【００５５】
カバー部材７は、カメラ６を覆うように上側収納室Ｓ１に設置される。カバー部材７は、その下端に形成されたフランジ部７１を溝部２６ａに嵌め込むとともに、ねじ止めにより仕切り板２６に固定される。これにより、カバー部材７と背板２３と上部前板２５とで閉塞されたカメラ６の設置スペースが形成される。
【００５６】
次に、図６を参照して、引出し４の下側の構成について説明する。尚、図６は、図２のＸ−Ｘ線断面図である。
【００５７】
本実施形態の宝石箱１には、図６に示すように、三次元センサー１３と、浮き上がりセンサー１４と、ＧＰＳ１５と、警報機１６とが引出し４の下側に設置されている。
尚、本実施形態の宝石箱１は、三次元センサー１３及び浮き上がりセンサー１４が異常を検知すると、検出装置（図示省略）を介して警報機１６に信号を発信し、音により異常を知らせる構成になっている。
【００５８】
三次元センサー１３は、宝石箱１のあらゆる方向の移動を検知するセンサーである。すなわち、三次元センサー１３は、宝石箱１を上方に移動させても、横方向にずらしながら移動させても、傾けても検知する。そして、検知した情報は、検出装置に送られるようになっている。これにより、例えば、窃盗者などが宝石箱１を傾けると音で異常を知らせ、盗難を抑止することができる。
【００５９】
浮き上がりセンサー１４は、宝石箱１が宙に浮いている状態を検知するセンサーである。そして、検知した情報は、検出装置に送られるようになっている。これにより、例えば、窃盗者などが宝石箱１を持ち上げると音で異常を知らせ、盗難を抑止することができる。
【００６０】
ＧＰＳ１５は、公知のＧＰＳの中から適宜選択して使用することができる。ＧＰＳ１５を設置することにより、宝石箱１ごと盗んだ窃盗犯などの位置を把握して追跡することができる。
【００６１】
警報機１６は、盗難防止センサー１２ｂ、三次元センサー１３及び浮き上がりセンサー１４が異常を検知すると警報音を発する装置である。
尚、警報機１６は、例えば、窃盗者などがコンセントを抜くことにより電源を遮断しても、鳴り続けるように設定されている。
【００６２】
尚、本実施形態の各センサー、ＧＰＳ１５、警報機１６は、接続コード（図示省略）を介してバッテリー（図示省略）に接続されている。
【００６３】
次に、本発明の実施の形態に係る宝石箱１の作用効果について説明する。
【００６４】
本実施形態では、宝石箱１の内部にカメラ６が設置されるとともに、箱体２の上面開口部２ａを開閉可能に覆う蓋体３に窓部３２が設けられており、窓部３２を介して宝石箱１の外部を撮影するため、窃盗犯等を撮影することが可能となり、従って、犯人の特定に貢献することができる。
また、カメラ６は、宝石箱１の内部に設置されるとともに、窓部３２の内側に位置するように設置されるため、宝石箱１の外観のデザイン性が損なわれることがない。
【００６５】
また、カバー部材７がカメラ６を覆っており、カメラ６は撮影用孔（貫通孔）７ｂを介して箱体２の外部を撮影するため、カメラ６が目立たなくなり、犯人に感知されずに犯人を撮影することができる。
また、宝石箱１の蓋体３を開けた際に、カメラ６が目立たないため、宝石箱１の内装のデザイン性が損なわれることがない。
【００６６】
また、カメラ６は、蓋体３の窓部３２に対して傾斜して設置されているため、カメラ６の撮影方向と犯人の顔の位置が一致しやすくなるため、犯人の顔をきちんと撮影することが可能となり、犯人をより確実に特定することができる。
【００６７】
また、箱体２の上部前板２５には、カメラ６が設置されるスペースに連通する通風孔２５ａが形成されているため、カメラ６が設置されるスペースに宝石箱１の外部の空気が入り、カメラ６から発生した熱を放熱することができるため、熱に起因するカメラ６の損傷を阻止することができる。
【００６８】
また、箱体２の前面開口部２ｂを開閉可能に覆う扉体５の上端には、凹部５１が設けられるとともに、蓋体３のうち扉体５の上端に当接する部分には、凹部５１と係合可能な凸部３４が設けられているため、閉じられた状態の扉体５に対して蓋体３を閉じると、扉体５の上端に設けられた凹部５１に蓋体３に設けられた凸部３４が係合して、扉体５が開かなくなる。従って、蓋体３の開錠・施錠を行うための鍵部３３及び鍵穴部１２を設置して、蓋体３を施錠するだけで、蓋体３と扉体５を同時に施錠することができるため、蓋体３と扉体５のための鍵を２つ用意する必要がない。
【００６９】
以上、本発明の実施形態について説明したが、本発明の趣旨を逸脱しない範囲で適宜変更して実施できるのはいうまでもない。
本実施形態の蓋体３は、ヒンジ３ａを介して箱体２に固定されているが、これに限定されることなく、例えば、ヒンジ３ａを設けずに、箱体２の上面開口部２ａに蓋体３を着脱可能に取り付けてもよい。
【００７０】
また、本実施形態の窓部３２は、蓋体３に設けられているが、これに限定されることなく、例えば、扉体５に窓部３２を設けてもよい。尚、この場合には、引出し４の中にカメラ６を設置するとともに、カメラ６のレンズ部６２がのぞむ撮影用孔（貫通孔）７ｂを引出し４の扉体５側の端面に形成する。
【００７１】
本実施形態の窓部３２は、スモークガラスで形成されているが、これに限定されることなく、例えば、透明なガラスで形成してもよい。
【００７２】
また、本実施形態の窓部３２及び鍵部３３は、蓋体３の長手方向の中央部に設置したが、これに限定されることなく、例えば、蓋体３の長手方向の端部に設置してもよい。尚、このように設置した場合には、カメラ６及びカバー部材７などの設置場所も適宜変更する。
【００７３】
また、本実施形態では、蓋体３に凸部３４を設けるとともに、扉体５に凹部５１を設けたが、これに限定されることなく、例えば、蓋体３に凹部を設けるとともに、扉体５に凸部を設けてもよい。
【００７４】
また、本実施形態の左扉５ａと右扉５ｂとは、同一の大きさに形成されているが、これに限定されることなく、どちらか一方の扉を大きく形成してもよい。尚、どちらか一方の扉を大きく形成した場合には、凹部５１の位置が変わるため、蓋体３の凸部３４の位置も適宜変更する。
【００７５】
また、本実施形態のカメラ６は、窓部３２に対して傾斜するように設置したが、これに限定されることなく、窓部３２に対して平行に設置してもよい。
【図面の簡単な説明】
【００７６】
【図１】本実施形態に係る宝石箱の開き状態を示す斜視図である。
【図２】本実施形態に係る宝石箱の閉じ状態を示す斜視図である。
【図３】図２に示す宝石箱の窓部周辺の構成を示す部分拡大平面図である。
【図４】図４は、図１に示す宝石箱のカメラ周辺の構成を示す部分拡大平面図である。
【図５】図５は、図３のＹ−Ｙ線断面図である。
【図６】図６は、図２のＸ−Ｘ線断面図である。
【符号の説明】
【００７７】
１      宝石箱
２      箱体
２ａ    上面開口部
２ｂ    前面開口部
２５ａ  通風孔
３      蓋体
３２    窓部
３３    鍵部
３４    凸部
４      引出し
５      扉体
５ａ    左扉
５ｂ    右扉
５１    凹部
６      カメラ
６１    基板部
６２    レンズ部
７      カバー部材
７ｂ    撮影用孔（貫通孔）
１２    鍵穴部
Ｓ１    上側収納室
Ｓ２    下側収納室
【図１】
2010051499.tif 000003
【図２】
2010051499.tif 000004
【図３】
2010051499.tif 000005
【図４】
2010051499.tif 000006
【図５】
2010051499.tif 000007
【図６】
2010051499.tif 000008